(57)【要約】【課題】粉状や粒状の２種類以上の収容物すべてを満遍なく攪拌混合することができ、２種類以上の収容物が略均一に分布するように混ぜ合わせることができるチャック機構付き袋を提供する。【解決手段】チャック機構付き袋１０Ａは、可撓性を有して互いに対向するシート１６から作られ、その内部に所定容積の収容空間１１が形成された袋１２と、袋１２の開口１３を開閉可能に封鎖するチャック機構１４とを備えている。チャック機構付き袋１０Ａでは、袋１２の底部１９に延びる外周縁２１が上下方向下方へ向かって凸となるように所定の曲率半径で湾曲し、袋１２の底部１９に位置する収容空間１１が上下方向下方へ向かって凸となるように底部１２の外周縁２１の曲率半径と略同一の曲率半径で湾曲している。【選択図】図１
0003208081.tif 000002
【実用新案登録請求の範囲】
【請求項１】
可撓性を有して互いに対向するシートから作られ、その内部に所定容積の収容空間が形成された袋と、前記袋の開口を開閉可能に封鎖するチャック機構とを備え、前記袋が、前記開口を有する頂部と、前記頂部の上下方向下方につながる中間部と、前記中間部の上下方向下方につながる底部とを備えたチャック機構付き袋において、
前記袋の底部に延びる外周縁が、上下方向下方へ向かって凸となるように所定の曲率半径で湾曲し、前記袋の底部に位置する収容空間が、上下方向下方へ向かって凸となるように前記底部の外周縁の曲率半径と略同一の曲率半径で湾曲していることを特徴とするチャック機構付き袋。
【請求項２】
前記袋の底部に延びる外周縁が、該袋の両側縁から幅方向外方へ向かって凸となるように所定の曲率半径で湾曲し、前記袋の底部に位置する収容空間が、該袋の頂部および中間部に位置する収容空間から幅方向外方へ向かって凸となるように前記底部の外周縁の曲率半径と略同一の曲率半径で湾曲している請求項１に記載のチャック機構付き袋。
【請求項３】
前記袋の中間部に延びる外周縁が、上下方向下方へ向かって凸となるように前記底部とともに所定の曲率半径で湾曲し、前記袋の中間部に位置する収容空間が、上下方向下方へ向かって凸となるように前記底部に位置する収容空間とともに前記中間部の外周縁の曲率半径と略同一の曲率半径で湾曲している請求項１に記載のチャック機構付き袋。
【請求項４】
前記袋の中間部に延びる外周縁が、前記底部とともに該袋の両側縁から幅方向外方へ向かって凸となるように所定の曲率半径で湾曲し、前記袋の中間部に位置する収容空間が、前記底部に位置する収容空間とともに該袋の頂部に位置する収容空間から幅方向外方へ向かって凸となるように前記中間部の外周縁の曲率半径と略同一の曲率半径で湾曲している請求項３に記載のチャック機構付き袋。
【請求項５】
可撓性を有して互いに対向するシートから作られ、その内部に所定容積の収容空間が形成された袋と、前記袋の開口を開閉可能に封鎖するチャック機構とを備え、前記袋が、前記開口を有する頂部と、前記頂部の上下方向下方につながる中間部と、前記中間部の上下方向下方につながる底部とを備えたチャック機構付き袋において、
前記袋の底部が、上下方向下方へ向かって凸となるように所定の曲率半径で湾曲する半球形状に成形され、前記袋の底部に位置する収容空間が、上下方向下方へ向かって凸となるように前記底部の曲率半径と略同一の曲率半径で湾曲する半球形状空間であることを特徴とするチャック機構付き袋。
【請求項６】
前記袋の中間部が、上下方向下方へ向かって凸となるように前記底部とともに所定の曲率半径で湾曲する半球形状に成形され、前記袋の中間部に位置する収容空間が、上下方向下方へ向かって凸となるように前記底部に位置する収容空間とともに前記中間部の曲率半径と略同一の曲率半径で湾曲する半球形状空間である請求項５に記載のチャック機構付き袋。
【考案の詳細な説明】
【技術分野】
【０００１】
本考案は、所定の収容物を収容する収容空間が形成された袋と袋の開口を開閉可能なチャック機構とを備えたチャック機構付き袋に関する。
【背景技術】
【０００２】
上下方向へ延びる第１シート材料および第２シート材料と、第１および第２シート材料の上端部の内側に取り付けられて幅方向へ延びるチャック機構とから形成され、第１および第２シート材料の上端部の開口がチャック機構によって開閉可能なチャック機構付き袋が開示されている（特許文献１参照）。このチャック機構付き袋では、第１シート材料および第２シート材料の平面形状が上下方向へ長い四角形に成形され、第１シート材料の上下端部間の長さ寸法が第２シート材料の上下端部間の長さ寸法よりも長く、第１シート材料に対向する凸部が第２シート材料の上端部の幅方向全域に形成されている。
【先行技術文献】
【特許文献】
【０００３】
【特許文献１】実用新案登録第３１９５９６２号
【考案の概要】
【考案が解決しようとする課題】
【０００４】
特許文献１に開示のチャック付き袋は、その底部に延びる外周縁が角形に成形され、底部に位置する収容空間が底部の外周縁と同様に角形を呈し、収容空間が角張ったかどを有するから、袋を利用して粉状や粒状の２種類以上の収容物を混ぜ合わせる場合、最初に収容空間に入れた収容物が収容空間のかどに入り込んでそのままそこに残存し、収容空間のかどに入り込んだ収容物とその後に入れた収容物とが混ざり難く、２種類以上の収容物すべてを満遍なく攪拌混合することができず、２種類以上の収容物が略均一に分布するように混ぜ合わせることができない。また、収容空間に収容された粉状や粒状の収容物を袋から取り出すときに、それら収容物が収容空間のかどに残存してしまい、収容物のすべてを袋からスムースに取り出すことができない。
【０００５】
本考案の目的は、粉状や粒状の２種類以上の収容物すべてを満遍なく攪拌混合することができ、２種類以上の収容物が略均一に分布するように混ぜ合わせることができるチャック機構付き袋を提供することにある。本考案の他の目的は、粉状や粒状の収容物を取り出すときに、収容物の一部が収容空間に残存することなく、収容物のすべてを収容空間からスムースに取り出すことができるチャック機構付き袋を提供することにある。
【課題を解決するための手段】
【０００６】
前記課題を解決するための本考案の前提は、可撓性を有して互いに対向するシートから作られ、その内部に所定容積の収容空間が形成された袋と記袋の開口を開閉可能に封鎖するチャック機構とを備え、袋が、開口を有する頂部と、頂部の上下方向下方につながる中間部と、中間部の上下方向下方につながる底部とを備えたチャック機構付き袋である。
【０００７】
前記前提における本考案のチャック機構付き袋の第１の特徴は、袋の底部に延びる外周縁が上下方向下方へ向かって凸となるように所定の曲率半径で湾曲し、袋の底部に位置する収容空間が上下方向下方へ向かって凸となるように底部の外周縁の曲率半径と略同一の曲率半径で湾曲していることにある。
【０００８】
前記第１の特徴を有するチャック機構付き袋の一例としては、袋の底部に延びる外周縁が袋の両側縁から幅方向外方へ向かって凸となるように所定の曲率半径で湾曲し、袋の底部に位置する収容空間が袋の頂部および中間部に位置する収容空間から幅方向外方へ向かって凸となるように底部の外周縁の曲率半径と略同一の曲率半径で湾曲している。
【０００９】
前記第１の特徴を有するチャック機構付き袋の他の一例としては、袋の中間部に延びる外周縁が上下方向下方へ向かって凸となるように底部とともに所定の曲率半径で湾曲し、袋の中間部に位置する収容空間が上下方向下方へ向かって凸となるように底部に位置する収容空間とともに中間部の外周縁の曲率半径と略同一の曲率半径で湾曲している。
【００１０】
前記第１の特徴を有するチャック機構付き袋の他の一例としては、袋の中間部に延びる外周縁が底部とともに袋の両側縁から幅方向外方へ向かって凸となるように所定の曲率半径で湾曲し、袋の中間部に位置する収容空間が底部に位置する収容空間とともに袋の頂部に位置する収容空間から幅方向外方へ向かって凸となるように中間部の外周縁の曲率半径と略同一の曲率半径で湾曲している。
【００１１】
前記前提における本考案のチャック機構付き袋の第２の特徴は、袋の底部が上下方向下方へ向かって凸となるように所定の曲率半径で湾曲する半球形状に成形され、袋の底部に位置する収容空間が上下方向下方へ向かって凸となるように底部の曲率半径と略同一の曲率半径で湾曲する半球形状空間であることにある。
【００１２】
前記第２の特徴を有するチャック機構付き袋の一例としては、袋の中間部が上下方向下方へ向かって凸となるように底部とともに所定の曲率半径で湾曲する半球形状に成形され、袋の中間部に位置する収容空間が上下方向下方へ向かって凸となるように底部に位置する収容空間とともに中間部の曲率半径と略同一の曲率半径で湾曲する半球形状空間である。
【考案の効果】
【００１３】
第１の特徴を有するチャック機構付き袋によれば、袋の底部に延びる外周縁が上下方向下方へ向かって凸となるように所定の曲率半径で湾曲し、袋の底部に位置する収容空間が上下方向下方へ向かって凸となるように底部の外周縁の曲率半径と略同一の曲率半径で湾曲しており、底部の収容空間に角張ったかどがなく、収容物が収容空間のかどに入り込むこともないから、最初に収容空間に入れた粉状や粒状の収容物とその後に収容空間に入れた粉状や粒状の収容物とのすべてを攪拌することができ、粉状や粒状の２種類以上の収容物すべてを満遍なく攪拌混合することができるとともに、２種類以上の収容物すべてが略均一に分布するように混ぜ合わせることができる。チャック機構付き袋は、粉状や粒状の収容物を取り出すときに、収容物の一部が底部の収容空間に残存することなく、収容物のすべてを収容空間からスムースに取り出すことができる。
【００１４】
袋の底部に延びる外周縁が袋の両側縁から幅方向外方へ向かって凸となるように所定の曲率半径で湾曲し、袋の底部に位置する収容空間が袋の頂部および中間部に位置する収容空間から幅方向外方へ向かって凸となるように底部の外周縁の曲率半径と略同一の曲率半径で湾曲しているチャック機構付き袋は、袋の底部の湾曲する外周縁が袋の両側縁から幅方向外方へ凸となるように円弧を画き、袋の底部に位置して湾曲する収容空間が袋の頂部および中間部に位置する収容空間から幅方向外方へ凸となるように円弧を画いているから、袋の底部に位置する収容空間の容積が残余の収容空間の容積よりも大きくなって、底部に位置する収容空間が攪拌混合空間となり、袋の底部の収容空間に入れた粉状や粒状の２種類以上の収容物すべてを底部の収容空間において十分に攪拌することができ、粉状や粒状の２種類以上の収容物すべてを満遍なく攪拌混合することができるとともに、２種類以上の収容物すべてが略均一に分布するように混ぜ合わせることができる。
【００１５】
袋の中間部に延びる外周縁が上下方向下方へ向かって凸となるように底部とともに所定の曲率半径で湾曲し、袋の中間部に位置する収容空間が上下方向下方へ向かって凸となるように底部に位置する収容空間とともに中間部の外周縁の曲率半径と略同一の曲率半径で湾曲しているチャック機構付き袋は、中間部および底部の収容空間に角張ったかどがなく、袋の中間部および底部の収容空間に入れた粉状や粒状の２種類以上の収容物すべてを攪拌することができ、粉状や粒状の２種類以上の収容物すべてを満遍なく攪拌混合することができるとともに、２種類以上の収容物すべてが略均一に分布するように混ぜ合わせることができる。チャック機構付き袋は、粉状や粒状の収容物を取り出すときに、収容物の一部が中間部および底部の収容空間に残存することなく、収容物のすべてを収容空間からスムースに取り出すことができる。
【００１６】
袋の中間部に延びる外周縁が底部とともに袋の両側縁から幅方向外方へ向かって凸となるように所定の曲率半径で湾曲し、袋の中間部に位置する収容空間が底部に位置する収容空間とともに袋の頂部に位置する収容空間から幅方向外方へ向かって凸となるように中間部の外周縁の曲率半径と略同一の曲率半径で湾曲しているチャック機構付き袋は、袋の中間部および底部の湾曲する外周縁が袋の両側縁から幅方向外方へ凸となるように円弧を画き、袋の中間部および底部に位置して湾曲する収容空間が袋の頂部に位置する収容空間から幅方向外方へ凸となるように円弧を画いているから、袋の中間部および底部に位置する収容空間の容積が残余の収容空間の容積よりも大きくなって、中間部および底部に位置する収容空間が攪拌混合空間となり、袋の中間部および底部の収容空間に入れた粉状や粒状の２種類以上の収容物すべてを中間部および底部の収容空間において十分に攪拌することができ、粉状や粒状の２種類以上の収容物すべてを満遍なく攪拌混合することができるとともに、２種類以上の収容物すべてが略均一に分布するように混ぜ合わせることができる。
【００１７】
第２の特徴を有するチャック機構付き袋によれば、袋の底部が上下方向下方へ向かって凸となるように所定の曲率半径で湾曲する半球形状に成形され、袋の底部に位置する収容空間が上下方向下方へ向かって凸となるように袋の底部の曲率半径と略同一の曲率半径で湾曲する半球形状空間であり、底部の収容空間に角張ったかどがなく、収容物が収容空間のかどに入り込むこともないから、最初に収容空間に入れた粉状や粒状の収容物とその後に収容空間に入れた粉状や粒状の収容物とのすべてを攪拌することができ、粉状や粒状の２種類以上の収容物すべてを満遍なく攪拌混合することができるとともに、２種類以上の収容物すべてが略均一に分布するように混ぜ合わせることができる。チャック機構付き袋は、粉状や粒状の収容物を取り出すときに、収容物の一部が底部の収容空間に残存することなく、収容物のすべてを収容空間からスムースに取り出すことができる。
【００１８】
袋の中間部が上下方向下方へ向かって凸となるように底部とともに所定の曲率半径で湾曲する半球形状に成形され、袋の中間部に位置する収容空間が上下方向下方へ向かって凸となるように底部に位置する収容空間とともに中間部の曲率半径と略同一の曲率半径で湾曲する半球形状空間であるチャック機構付き袋は、中間部および底部の収容空間に角張ったかどがなく、収容物が収容空間のかどに入り込むこともないから、最初に収容空間に入れた粉状や粒状の収容物とその後に収容空間に入れた粉状や粒状の収容物とのすべてを攪拌することができ、粉状や粒状の２種類以上の収容物すべてを満遍なく攪拌混合することができるとともに、２種類以上の収容物すべてが略均一に分布するように混ぜ合わせることができる。チャック機構付き袋は、粉状や粒状の収容物を取り出すときに、収容物の一部が中間部および底部の収容空間に残存することなく、収容物のすべてを収容空間からスムースに取り出すことができる。
【図面の簡単な説明】
【００１９】
【図１】一例として示すチャック機構付き袋の斜視図。
【図２】図１のチャック機構付き袋の正面図。
【図３】他の一例として示すチャック機構付き袋の斜視図。
【図４】図３のチャック機構付き袋の正面図。
【図５】他の一例として示すチャック機構付き袋の斜視図。
【図６】図５のチャック機構付き袋の正面図。
【図７】他の一例として示すチャック機構付き袋の斜視図。
【図８】図７のチャック機構付き袋の正面図。
【図９】他の一例として示すチャック機構付き袋の斜視図。
【図１０】他の一例として示すチャック機構付き袋の斜視図。
【考案を実施するための形態】
【００２０】
一例として示すチャック機構付き袋１０Ａの斜視図である図１等の添付の図面を参照し、本考案にかかるチャック機構付き袋の詳細を説明すると、以下のとおりである。なお、図２は、図１のチャック機構付き袋１０Ａの正面図である。図１では、収容空間１１に粉状または粒状の収容物１５を収容した状態で示す。図２では、上下方向を矢印Ｘで示し、幅方向を矢印Ｙで示す。チャック機構付き袋１０Ａの背面図は、図２の正面図と同一に表れる。
【００２１】
チャック機構付き袋１０Ａは、内部に所定容積の収容空間１１が形成された袋１２と、袋１２の開口１３を開閉可能に封鎖するチャック機構１４とを備え、収容空間１１に粉状または粒状の収容物１５を収容し、２種類以上の収容物１５の攪拌混合に好適に利用される。
【００２２】
袋１２は、可撓性を有して互いに対向する透明なシート１６（フィルム）から作られている。シート１６は、ポリエチレンフィルム（ＰＥフィルム）やポリプロピレンフィルム（ＰＰフィルム）、エチレン・酢酸ビニル共重合体フィルム（ＥＶＡフィルム）、二軸延伸ポリプロピレンフィルム（ＯＰフィルム）、ＰＶＤＣ樹脂コートＯＰＰフィルム（ＫＯＰフィルム）、無延伸ポリプロピレンフィルム（ＣＰフィルム）、ナイロンフィルム（ＮＹフィルム）、二軸延伸ハイガスバリアナイロンフィルム（バリアＮＹフィルム）、ポリエステルフィルム（ＰＥＴフィルム）、透明蒸着ポリエステルフィルム（透明蒸着ＰＥＴフィルム）、塩化ビニルフィルム、各種のフィルムをラミネートしたラミネートフィルム等から作られている。
【００２３】
袋１２は、上下方向上方に位置する頂部１７と、頂部１７の上下方向下方につながる中間部１８と、中間部１８の上下方向下方につながる底部１９とを有する。頂部１７には、収容物１５を収容または取り出す開口１３が形成されている。袋１２は、その外周縁が熱シールや超音波シール、溶断ヒータによってシールされている。袋１２は、二方シール袋、三方シール袋、ボトムシール袋のいずれであってもよい。チャック機構１４は、袋１２の頂部１７に形成され、袋１２の幅方向の全域にわたって延びている。チャック機構１４は、既存の各種のそれ（スライダー付きチャック機構を含む）を利用することができ、袋１２の開口１３の開閉を複数回繰り返すことができる。
【００２４】
袋１２の頂部１７と中間部１８とに延びる両側縁２０（外周縁）は、上下方向へ直状に延びている。袋１２の底部１９に延びる外周縁２１（両側縁および下端縁）は、上下方向下方へ向かって凸となるように所定の曲率半径で湾曲し、上下方向下方へ向かって凸となるように円弧を画いている。袋１２の底部１９に位置する収容空間１１は、上下方向下方へ向かって凸となるように底部１９の外周縁２１の曲率半径と略同一の曲率半径で湾曲し、上下方向下方へ向かって凸となるように円弧を画いている。したがって、袋１２の底部１９に位置する収容空間１１には、角張ったかどが存在しない。
【００２５】
チャック機構付き袋１０Ａは、チャック機構１４を開放して開口１３を開け、開口１３から収容空間１１に粉状や粒状の異なる２種類以上の収容物１５を入れた後、チャック機構１４を閉鎖して開口１３を封鎖する。次に、袋１２の底部１９を揉み、収容空間１１に収容されたそれら収容物１５を攪拌混合する。袋１２の底部１９に位置する収容空間１１が円弧を画き、底部１９の収容空間１１に角張ったかどがないから、収容物１５が収容空間１１の一部に入り込んでそのままそこに残存することはなく、最初に収容空間１１に入れた収容物１５とその後に入れた収容物１５とが混ざり易い。チャック機構付き袋１０Ａでは、その収容空間１１において２種類以上の収容物１５すべてが満遍なく攪拌混合され、２種類以上の収容物１５すべてが略均一に分布するように混ざり合う。
【００２６】
チャック機構付き袋１０Ａは、袋１２の底部１９に延びる外周縁２１が上下方向下方へ向かって凸となるように所定の曲率半径で湾曲し、上下方向下方へ向かって凸となるように円弧を画き、袋１２の底部１９に位置する収容空間１１が上下方向下方へ向かって凸となるように底部１９の外周縁２１の曲率半径と略同一の曲率半径で湾曲し、上下方向下方へ向かって凸となるように円弧を画いており、底部１９の収容空間１１に角張ったかどがなく、収容物１５が収容空間１１のかどに入り込むこともないから、最初に収容空間１１に入れた粉状や粒状の収容物１５とその後に収容空間１１に入れた粉状や粒状の収容物１５とのすべてを攪拌することができ、粉状や粒状の２種類以上の収容物１５すべてを満遍なく攪拌混合することができるとともに、２種類以上の収容物１５すべてが略均一に分布するように混ぜ合わせることができる。
【００２７】
２種類以上の収容物１５を攪拌混合した後、チャック機構１４を開放して開口１３を開け、開口１３から混合された収容物１５を取り出す。チャック機構付き袋１０Ａは、袋１２の底部１９に位置する収容空間１１に角張ったかどがないから、混合された収容物１５が収容空間１１の一部に入り込んでそのままそこに残存することはなく、収容物１５のすべてが容易に袋１２から取り出される。チャック機構付き袋１０Ａは、粉状や粒状の収容物１５を取り出すときに、収容物１５の一部が底部１９の収容空間１１に残存することなく、収容物１５のすべてを収容空間１１からスムースに取り出すことができる。
【００２８】
図３は、他の一例として示すチャック機構付き袋１０Ｂの斜視図であり、図４は、図３のチャック機構付き袋１０Ｂの正面図である。図３では、収容空間１１に粉状または粒状の収容物１５を収容した状態で示す。図４では、上下方向を矢印Ｘで示し、幅方向を矢印Ｙで示す。なお、チャック機構付き袋１０Ｂの背面図は、図４の正面図と同一に表れる。
【００２９】
このチャック機構付き袋１０Ｂが図１のそれと異なるところは、袋１２の底部１９に延びる外周縁２１が袋１２の頂部１７および中間部１８の両側縁２０から幅方向外方へ向かって凸となるように所定の曲率半径で湾曲し、幅方向外方へ向かって凸となるように円弧を画くとともに、袋１２の底部１９に延びる外周縁２１が上下方向下方へ向かって凸となるように所定の曲率半径で湾曲し、上下方向下方へ向かって凸となるように円弧を画いている点、袋１２の底部１９に位置する収容空間１１が袋１２の頂部１７および中間部１８に位置する収容空間１１から幅方向外方へ向かって凸となるように底部１９の外周縁２１の曲率半径と略同一の曲率半径で湾曲し、幅方向外方へ向かって凸となるように円弧を画くとともに、袋１２の底部１９に位置する収容空間１１が上下方向下方へ向かって凸となるように底部１９の外周縁２１の曲率半径と略同一の曲率半径で湾曲し、上下方向下方へ向かって凸となるように円弧を画いている点にある。
【００３０】
チャック機構付き袋１０Ｂのその他の構成は図１のチャック機構付き袋１０Ａのそれらと同一であるから、図１と同様の符号を付すとともに、図１のチャック機構付き袋１０Ａの説明を援用することで、チャック機構付き袋１０Ｂのその他の構成の詳細な説明は省略する。チャック機構付き袋１０Ｂは、可撓性を有して互いに対向するシート１６（フィルム）から作られ、その内部に所定容積の収容空間１１が形成された袋１２と、袋１２の開口１３を開閉可能に封鎖するチャック機構１４とを備えている。袋１２の頂部１７および中間部１８に延びる両側縁２０（外周縁）は、上下方向へ直状に延びている。
【００３１】
チャック機構付き袋１０Ｂでは、袋１２の底部１９に位置する収容空間１１が残余の収容空間１１（頂部１７および中間部１８に位置する収容空間１１）から幅方向外方へ突出し、袋１２の底部１９に位置する収容空間１１の容積が残余の収容空間１１（頂部１７および中間部１９に位置する収容空間１１）の容積よりも大きくなっている。チャック機構付き袋１０Ｂの収容空間１１において粉状や粒状の異なる２種類以上の収容物１５を攪拌混合する手順は、図１のチャック機構付き袋１０Ａのそれと同一であるから、その説明は省略する。
【００３２】
チャック機構付き袋１０Ｂは、袋１２の底部１９の湾曲する外周縁２１が袋１２の頂部１７および中間部１８の両側縁２０から幅方向外方へ凸となるように円弧を画き、袋１２の底部１９に延びる外周縁２１が上下方向下方へ向かって凸となるように円弧を画くとともに、袋１２の底部１９に位置して湾曲する収容空間１１が袋１２の頂部１７および中間部１８に位置する収容空間１１から幅方向外方へ凸となるように円弧を画き、袋１２の底部１９に位置する収容空間１１が上下方向下方へ向かって凸となるように円弧を画いているから、袋１２の底部１９に位置する収容空間１１の容積が残余の収容空間１１の容積よりも大きくなって、底部１９に位置する収容空間１１が攪拌混合空間となり、袋１２の底部１９の収容空間１１に入れた粉状や粒状の２種類以上の収容物１５すべてを底部１９の収容空間１１において十分に攪拌することができ、粉状や粒状の２種類以上の収容物１５すべてを満遍なく攪拌混合することができるとともに、２種類以上の収容物１５すべてが略均一に分布するように混ぜ合わせることができる。チャック機構付き袋１０Ｂは、粉状や粒状の収容物１５を取り出すときに、収容物１５の一部が底部１９の収容空間１１に残存することなく、収容物１５のすべてを収容空間１１からスムースに取り出すことができる。
【００３３】
図５は、他の一例として示すチャック機構付き袋１０Ｃの斜視図であり、図６は、図５のチャック機構付き袋１０Ｃの正面図である。図５では、収容空間１１に粉状または粒状の収容物１５を収容した状態で示す。図６では、上下方向を矢印Ｘで示し、幅方向を矢印Ｙで示す。なお、チャック機構付き袋１０Ｃの背面図は、図６の正面図と同一に表れる。
【００３４】
このチャック機構付き袋１０Ｃが図１のそれと異なるところは、袋１２の中間部１８に延びる外周縁２１が上下方向下方へ向かって凸となるように所定の曲率半径で湾曲し、袋１２の中間部１８に延びる外周縁２１が上下方向下方へ向かって凸となるように円弧を画いている点、袋１２の中間部１８に位置する収容空間１１が上下方向下方へ向かって凸となるように中間部１８の外周縁２１の曲率半径と略同一の曲率半径で湾曲し、袋１２の中間部１８に位置する収容空間１１が上下方向下方へ向かって凸となるように円弧を画いている点にある。
【００３５】
さらに、袋１２の底部１９に延びる外周縁２１が上下方向下方へ向かって凸となるように所定の曲率半径で湾曲し、袋１２の底部１９に延びる外周縁２１が上下方向下方へ向かって凸となるように円弧を画いている点、袋１２の底部１９に位置する収容空間１１が上下方向下方へ向かって凸となるように底部１９の外周縁２１の曲率半径と略同一の曲率半径で湾曲し、袋１２の底部１９に位置する収容空間１１が上下方向下方へ向かって凸となるように円弧を画いている点にある。
【００３６】
チャック機構付き袋１０Ｃのその他の構成は図１のチャック機構付き袋１０Ａのそれらと同一であるから、図１と同様の符号を付すとともに、図１のチャック機構付き袋１０Ａの説明を援用することで、チャック機構付き袋１０Ｃのその他の構成の詳細な説明は省略する。チャック機構付き袋１０Ｃは、可撓性を有して互いに対向するシート１６（フィルム）から作られ、その内部に所定容積の収容空間１１が形成された袋１２と、袋１２の開口１３を開閉可能に封鎖するチャック機構１４とを備えている。袋１２の頂部１７および中間部１８に延びる両側縁２０（外周縁）は、上下方向へ直状に延びている。
【００３７】
チャック機構付き袋１０Ｃは、チャック機構１４を開放して開口１３を開け、開口１３から収容空間１１に粉状や粒状の異なる２種類以上の収容物１５を入れ、チャック機構１４を閉鎖して開口１３を封鎖した後、袋１２の中間部１８および底部１９を揉み、収容空間１１に収容されたそれら収容物１５を攪拌混合する。袋１２の中間部１８および底部１９に位置する収容空間１１が円弧を画き、中間部１８および底部１９の収容空間１１に角張ったかどがないから、収容物１５が収容空間１１の一部に入り込んでそのままそこに残存することはなく、最初に収容空間１１に入れた収容物１５とその後に入れた収容物１５とが混ざり易い。チャック機構付き袋１０Ｃでは、中間部１８および底部１９に位置する収容空間１１において２種類以上の収容物１５すべてが満遍なく攪拌混合され、２種類以上の収容物１５すべてが略均一に分布するように混ざり合う。２種類以上の収容物１５を攪拌混合した後、チャック機構１４を開放して開口１３を開け、開口１３から混合された収容物１５を取り出す。
【００３８】
チャック機構付き袋１０Ｃは、袋１２の中間部１８および底部１９に延びる外周縁２１が上下方向下方へ向かって凸となるように所定の曲率半径で湾曲し、上下方向下方へ向かって凸となるように円弧を画き、袋１２の中間部１８および底部１９に位置する収容空間１１が上下方向下方へ向かって凸となるように中間部１８および底部１９の外周縁２１の曲率半径と略同一の曲率半径で湾曲し、上下方向下方へ向かって凸となるように円弧を画いているから、中間部１８および底部１９の収容空間１１に角張ったかどがなく、袋１２の中間部１８および底部１９の収容空間１１に入れた粉状や粒状の２種類以上の収容物すべてを十分に攪拌することができ、粉状や粒状の２種類以上の収容物１５すべてを満遍なく攪拌混合することができるとともに、２種類以上の収容物１５すべてが略均一に分布するように混ぜ合わせることができる。チャック機構付き袋１０Ｃは、粉状や粒状の収容物１５を取り出すときに、収容物１５の一部が中間部１８および底部１９の収容空間１１に残存することなく、収容物１５のすべてを収容空間１１からスムースに取り出すことができる。
【００３９】
図７は、他の一例として示すチャック機構付き袋１０Ｄの斜視図であり、図８は、図７のチャック機構付き袋１０Ｄの正面図である。図７では、収容空間１１に粉状または粒状の収容物１５を収容した状態で示す。図８では、上下方向を矢印Ｘで示し、幅方向を矢印Ｙで示す。なお、チャック機構付き袋１０Ｄの背面図は、図８の正面図と同一に表れる。
【００４０】
このチャック機構付き袋１０Ｄが図１のそれと異なるところは、袋１２の中間部１８に延びる外周縁２１が袋１２の頂部１７の両側縁２０（外周縁）から幅方向外方へ向かって凸となるように所定の曲率半径で湾曲し、幅方向外方へ向かって凸となるように円弧を画くとともに、袋１２の中間部１８に延びる外周縁２１が上下方向下方へ向かって凸となるように所定の曲率半径で湾曲し、上下方向下方へ向かって凸となるように円弧を画いている点、袋１２の中間部１８に位置する収容空間１１が袋１２の頂部１７に位置する収容空間１１から幅方向外方へ向かって凸となるように中間部１８の外周縁２１の曲率半径と略同一の曲率半径で湾曲し、幅方向外方へ向かって凸となるように円弧を画くとともに、袋１２の中間部１８に位置する収容空間１１が上下方向下方へ向かって凸となるように中間部１８の外周縁２１の曲率半径と略同一の曲率半径で湾曲し、上下方向下方へ向かって凸となるように円弧を画いている点にある。
【００４１】
さらに、袋１２の底部１９に延びる外周縁２１が袋１２の頂部１７の両側縁２０（外周縁）から幅方向外方へ向かって凸となるように所定の曲率半径で湾曲し、幅方向外方へ向かって凸となるように円弧を画くとともに、袋１２の底部１９に延びる外周縁２１が上下方向下方へ向かって凸となるように所定の曲率半径で湾曲し、上下方向下方へ向かって凸となるように円弧を画いている点、袋１２の底部１９に位置する収容空間１１が袋１２の頂部１７に位置する収容空間１１から幅方向外方へ向かって凸となるように底部１２の外周縁２１の曲率半径と略同一の曲率半径で湾曲し、幅方向外方へ向かって凸となるように円弧を画くとともに、袋１２の底部１９に位置する収容空間１１が上下方向下方へ向かって凸となるように底部１２の外周縁１９の曲率半径と略同一の曲率半径で湾曲し、上下方向下方へ向かって凸となるように円弧を画いている点にある。
【００４２】
チャック機構付き袋１０Ｄのその他の構成は図１のチャック機構付き袋１０Ａのそれらと同一であるから、図１と同様の符号を付すとともに、図１のチャック機構付き袋１０Ａの説明を援用することで、チャック機構付き袋１０Ｄのその他の構成の詳細な説明は省略する。チャック機構付き袋１０Ｄは、可撓性を有して互いに対向するシート１６（フィルム）から作られ、その内部に所定容積の収容空間１１が形成された袋１２と、袋１２の開口１３を開閉可能に封鎖するチャック機構１４とを備えている。袋１２の頂部１７に延びる両側縁２０（外周縁）は、上下方向へ直状に延びている。
【００４３】
チャック機構付き袋１０Ｄでは、袋１２の中間部１８および底部１９に位置する収容空間１１が残余の収容空間１１（頂部１７に位置する収容空間１１）から幅方向外方へ突出し、袋１２の中間部１８および底部１９に位置する収容空間１１の容積が残余の収容空間１１（頂部１７に位置する収容空間１１）の容積よりも大きくなっている。チャック機構付き袋１０Ｄの収容空間１１において粉状や粒状の異なる２種類以上の収容物１５を攪拌混合する手順は、図５のチャック機構付き袋１０Ｃのそれと同一であるから、その説明は省略する。
【００４４】
チャック機構付き袋１０Ｄは、袋１２の中間部１８および底部１９の湾曲する外周縁２１が袋１２の頂部１７の両側縁２０から幅方向外方へ凸となるように円弧を画き、袋１２の中間部１８および底部１９に位置して湾曲する収容空間１１が袋の頂部１７に位置する収容空間１１から幅方向外方へ凸となるように円弧を画いているから、袋１２の中間部１８および底部１９に位置する収容空間１１の容積が残余の収容空間１１の容積よりも大きくなって、中間部１８および底部１９に位置する収容空間１１が攪拌混合空間となり、袋１２の中間部１８および底部１９の収容空間１１に入れた粉状や粒状の２種類以上の収容物１５すべてを中間部１８および底部１９の収容空間１１において十分に攪拌することができ、粉状や粒状の２種類以上の収容物１５すべてを満遍なく攪拌混合することができるとともに、２種類以上の収容物１５すべてが略均一に分布するように混ぜ合わせることができる。チャック機構付き袋１０Ｄは、粉状や粒状の収容物１５を取り出すときに、収容物１５の一部が中間部１８および底部１９の収容空間１１に残存することなく、収容物１５のすべてを収容空間１１からスムースに取り出すことができる。
【００４５】
図９は、他の一例として示すチャック機構付き袋１０Ｅの斜視図である。図９では、上下方向を矢印Ｘで示し、幅方向を矢印Ｙで示す。このチャック機構付き袋１０Ｅが図１のそれと異なるところは、袋１２の底部１９が上下方向下方へ向かって凸となるように所定の曲率半径で湾曲し、上下方向下方へ向かって凸となるように円弧を画くとともに、袋１２の底部１９が上下方向下方へ向かって凸となる半球形状に成形されている点、袋１２の底部１９に位置する収容空間１１が上下方向下方へ向かって凸となるように底部１９の曲率半径と略同一の曲率半径で湾曲し、上下方向下方へ向かって凸となるように円弧を画くとともに、袋１２の底部１９に位置する収容空間１１が上下方向下方へ向かって凸となる半球形状空間である点にある。
【００４６】
チャック機構付き袋１０Ｅのその他の構成は図１のチャック機構付き袋１０Ａのそれらと同一であるから、図１と同様の符号を付すとともに、図１のチャック機構付き袋１０Ａの説明を援用することで、チャック機構付き袋１０Ｅのその他の構成の詳細な説明は省略する。チャック機構付き袋１０Ｅは、可撓性を有して互いに対向するシート１６（フィルム）から作られ、その内部に所定容積の収容空間１１が形成された袋１２と、袋１２の開口１３を開閉可能に封鎖するチャック機構１４とを備えている。袋１２の頂部１７および中間部１８に延びる両側縁２０（外周縁）は、上下方向へ直状に延びている。
【００４７】
チャック機構付き袋１０Ｅでは、袋１２の底部１９に位置する収容空間１１が上下方向下方へ向かって凸となる半球形状空間であり、袋１２の底部１９に位置する収容空間１１の容積が残余の収容空間１１（頂部１７および中間部１８に位置する収容空間１１）の容積よりも大きくなっている。チャック機構付き袋１０Ｅは、チャック機構１４を開放して開口１３を開け、開口１３から収容空間１１に粉状や粒状の異なる２種類以上の収容物１５を入れ、チャック機構１４を閉鎖して開口１３を封鎖した後、袋１２の底部１９を揉み、収容空間１１（半球形状空間）に収容されたそれら収容物１５を攪拌混合する。袋１２の底部１９に位置する収容空間１１が半球形状空間であり、底部１９の収容空間１１に角張ったかどがないから、収容物１５が収容空間１１の一部に入り込んでそのままそこに残存することはなく、最初に収容空間１１に入れた収容物１５とその後に入れた収容物１５とが混ざり易い。チャック機構付き袋１０Ｅでは、その収容空間１１において２種類以上の収容物１５すべてが満遍なく攪拌混合され、２種類以上の収容物１５すべてが略均一に分布するように混ざり合う。２種類以上の収容物１５を攪拌混合した後、チャック機構１４を開放して開口１３を開け、開口１３から混合された収容物１５を取り出す。
【００４８】
チャック機構付き袋１０Ｅは、袋１２の底部１９が上下方向下方へ向かって凸となるように所定の曲率半径で湾曲し、上下方向下方へ向かって凸となるように円弧を画くとともに、袋１２の底部１９が上下方向下方へ向かって凸となる半球形状に成形され、袋１２の底部１９に位置する収容空間１１が上下方向下方へ向かって凸となるように底部１２の外周縁２１の曲率半径と略同一の曲率半径で湾曲し、上下方向下方へ向かって凸となるように円弧を画くとともに、袋１２の底部１９に位置する収容空間１１が上下方向下方へ向かって凸となる半球形状空間であり、底部１２の収容空間１１に角張ったかどがなく、収容物１５が収容空間１１のかどに入り込むこともないから、最初に収容空間１１に入れた粉状や粒状の収容物１５とその後に収容空間１１に入れた粉状や粒状の収容物１５とのすべてを十分に攪拌することができ、粉状や粒状の２種類以上の収容物１５すべてを満遍なく攪拌混合することができるとともに、２種類以上の収容物１５すべてが略均一に分布するように混ぜ合わせることができる。チャック機構付き袋１０Ｅは、粉状や粒状の収容物１５を取り出すときに、収容物１５の一部が底部１９の収容空間１１に残存することなく、収容物１５のすべてを収容空間１１からスムースに取り出すことができる。
【００４９】
図１０は、他の一例として示すチャック機構付き袋１０Ｆの斜視図である。図１０では、上下方向を矢印Ｘで示し、幅方向を矢印Ｙで示す。このチャック機構付き袋１０Ｆが図１のそれと異なるところは、袋１２の中間部１８が上下方向下方へ向かって凸となるように所定の曲率半径で湾曲し、上下方向下方へ向かって凸となるように円弧を画くとともに、袋１２の中間部１８が上下方向下方へ向かって凸となる半球形状に成形されている点、袋１２の中間部１８に位置する収容空間１１が上下方向下方へ向かって凸となるように中間部１８の曲率半径と略同一の曲率半径で湾曲し、上下方向下方へ向かって凸となるように円弧を画くとともに、袋１２の中間部１８に位置する収容空間１１が上下方向下方へ向かって凸となる半球形状空間である点にある。
【００５０】
さらに、袋１２の底部１９が上下方向下方へ向かって凸となるように所定の曲率半径で湾曲し、上下方向下方へ向かって凸となるように円弧を画くとともに、袋１２の底部１９が上下方向下方へ向かって凸となる半球形状に成形されている点、袋１２の底部１９に位置する収容空間１１が上下方向下方へ向かって凸となるように底部１９の曲率半径と略同一の曲率半径で湾曲し、上下方向下方へ向かって凸となるように円弧を画くとともに、袋１２の底部１９に位置する収容空間１１が上下方向下方へ向かって凸となる半球形状空間である点にある。
【００５１】
チャック機構付き袋１０Ｆのその他の構成は図１のチャック機構付き袋１０Ａのそれらと同一であるから、図１と同様の符号を付すとともに、図１のチャック機構付き袋１０Ａの説明を援用することで、チャック機構付き袋１０Ｆのその他の構成の詳細な説明は省略する。チャック機構付き袋１０Ｆは、可撓性を有して互いに対向するシート１６（フィルム）から作られ、その内部に所定容積の収容空間１１が形成された袋１２と、袋１２の開口１３を開閉可能に封鎖するチャック機構１５とを備えている。袋１２の頂部１７に延びる両側縁２０（外周縁）は、上下方向へ直状に延びている。
【００５２】
チャック機構付き袋１０Ｅでは、袋１２の中間部１８および底部１９に位置する収容空間１１が上下方向下方へ向かって凸となる半球形状空間であり、袋１２の中間部１８および底部１９に位置する収容空間１１の容積が残余の収容空間１１（頂部１７に位置する収容空間１１）の容積よりも大きくなっている。チャック機構付き袋１０Ｆは、チャック機構１４を開放して開口１３を開け、開口１３から収容空間１１に粉状や粒状の異なる２種類以上の収容物１５を入れ、チャック機構１４を閉鎖して開口１３を封鎖した後、袋１２の中間部１８および底部１９を揉み、収容空間１１（半球形状空間）に収容されたそれら収容物１５を攪拌混合する。袋１２の中間部１８および底部１９に位置する収容空間１１が半球形状空間であり、中間部１８および底部１９の収容空間１１に角張ったかどがないから、収容物１５が収容空間１１の一部に入り込んでそのままそこに残存することはなく、最初に収容空間１１に入れた収容物１５とその後に入れた収容物１５とが混ざり易い。チャック機構付き袋１０Ｅでは、その収容空間１１において２種類以上の収容物１５すべてが満遍なく攪拌混合され、２種類以上の収容物１５すべてが略均一に分布するように混ざり合う。２種類以上の収容物１５を攪拌混合した後、チャック機構１４を開放して開口１３を開け、開口１３から混合された収容物１５を取り出す。
【００５３】
チャック機構付き袋１０Ｅは、袋１２の中間部１８が上下方向下方へ向かって凸となるように所定の曲率半径で湾曲し、上下方向下方へ向かって凸となるように円弧を画くとともに、袋１２の中間部１８が上下方向下方へ向かって凸となる半球形状に成形され、袋１２の中間部１８に位置する収容空間１１が上下方向下方へ向かって凸となるように中間部１８の曲率半径と略同一の曲率半径で湾曲し、上下方向下方へ向かって凸となるように円弧を画くとともに、袋１２の中間部１８に位置する収容空間１１が上下方向下方へ向かって凸となる半球形状空間であり、袋１２の底部１９が上下方向下方へ向かって凸となるように所定の曲率半径で湾曲し、上下方向下方へ向かって凸となるように円弧を画くとともに、袋１２の底部１９が上下方向下方へ向かって凸となる半球形状に成形され、袋１２の底部１９に位置する収容空間１１が上下方向下方へ向かって凸となるように底部１９の曲率半径と略同一の曲率半径で湾曲し、上下方向下方へ向かって凸となるように円弧を画くとともに、袋１２の底部１９に位置する収容空間１１が上下方向下方へ向かって凸となる半球形状空間であり、中間部１８および底部１９の収容空間１１に角張ったかどがなく、収容物１５が収容空間１１のかどに入り込むこともないから、最初に収容空間１１に入れた粉状や粒状の収容物１５とその後に収容空間１１に入れた粉状や粒状の収容物１５とのすべてを十分に攪拌することができ、粉状や粒状の２種類以上の収容物１５すべてを満遍なく攪拌混合することができるとともに、２種類以上の収容物１５すべてが略均一に分布するように混ぜ合わせることができる。チャック機構付き袋１０Ｆは、粉状や粒状の収容物１５を取り出すときに、収容物１５の一部が中間部１８および底部１９の収容空間１１に残存することなく、収容物１５のすべてを収容空間１１からスムースに取り出すことができる。
【符号の説明】
【００５４】
１０Ａ  チャック機構付き袋
１０Ｂ  チャック機構付き袋
１０Ｃ  チャック機構付き袋
１０Ｄ  チャック機構付き袋
１０Ｅ  チャック機構付き袋
１０Ｆ  チャック機構付き袋
１１    収容空間
１２    袋
１３    開口
１４    チャック機構
１５    収容物
１６    シート
１７    頂部
１８    中間部
１９    底部
２０    両側縁
２１    外周縁
【図１】
0003208081.tif 000003
【図２】
0003208081.tif 000004
【図３】
0003208081.tif 000005
【図４】
0003208081.tif 000006
【図５】
0003208081.tif 000007
【図６】
0003208081.tif 000008
【図７】
0003208081.tif 000009
【図８】
0003208081.tif 000010
【図９】
0003208081.tif 000011
【図１０】
0003208081.tif 000012